(57)【要約】【課題】背景に対応する色をより正確に特定し、しかもその画像部分の透明処理を比較的簡単に行うことができる画像処理装置および画像処理方法を得ること。【解決手段】入力された画素におけるクロマキカラーのＢ色の値が他の色としてのＲ色およびＧ色の値の大きいものよりも第１の値以上大きく（ステップＳ１２：Ｙ）、Ｒ色とＧ色の差の絶対値が第２の値以下であるときには（ステップＳ１３：Ｙ）、その画素を背景に対応する領域に属するものとして透明処理する（ステップＳ１５）。その他は前景の画像として処理する（ステップＳ１４）。これにより、比較処理の回数が軽減され、しかも背景に対応する画素の抽出がより正確となる。【選択図】  図１
2004349785.tif 000002
【特許請求の範囲】
【請求項１】
特定の１色を背景に置き換えるための第１の原色とし、それ以外の２色をそれぞれ第２の原色および第３の原色とし、更にこれら３つの原色の採り得る最小値および最大値が同一であるとするとき、所定の画像を構成する画素ごとに第１の原色の値が第２および第３の原色の値のうちの大きいものよりも前記最大値よりも小さな所定の第１の値以上大きいか否かを比較する第１の比較手段と、
前記所定の画像を構成する画素ごとに前記第２および第３の原色の差の絶対値が所定の正の第２の値以下であるか否かを比較する第２の比較手段と、
前記第１の比較手段が第１の原色の値が第２および第３の原色の値よりも第１の値以上大きいと判別し、かつ第２の比較手段が前記第２および第３の原色の差の絶対値が第２の値以下であると判別した画素のみを透明色として所定の背景画像の画素と置き換える透明色処理手段
とを具備することを特徴とする画像処理装置。
【請求項２】
前記透明色処理手段が透明色として処理しない画素について、前記背景の手前に位置する前景を構成する画素として処理する前景処理手段を具備することを特徴とする請求項１記載の画像処理装置。
【請求項３】
前記第１の原色は青色であり、第２の原色と第３の原色は赤色あるいは緑色のうちのそれぞれ異なった１色であることを特徴とする請求項１記載の画像処理装置。
【請求項４】
特定の１色を背景に置き換えるための第１の原色とし、それ以外の２色をそれぞれ第２の原色および第３の原色とし、更にこれら３つの原色の採り得る最小値および最大値が同一であるとするとき、所定の画像を構成する画素ごとに第１の原色の値が第２および第３の原色の値のうちの大きいものよりも前記最大値よりも小さな所定の第１の値以上大きいか否かを比較する第１の比較ステップと、
前記所定の画像を構成する画素ごとに前記第２および第３の原色の差の絶対値が所定の正の第２の値以下であるか否かを比較する第２の比較ステップと、
前記第１の比較ステップで第１の原色の値が第２および第３の原色の値よりも第１の値以上大きいと判別し、かつ第２の比較ステップで前記第２および第３の原色の差の絶対値が第２の値以下であると判別した画素のみを透明色として所定の背景画像の画素と置き換える透明色処理ステップ
とを具備することを特徴とする画像処理方法。
【請求項５】
前記透明色処理ステップで透明色として処理しない画素について、前記背景の手前に位置する前景を構成する画素として処理する前景処理ステップ
を具備することを特徴とする請求項４記載の画像処理方法。
【発明の詳細な説明】
【０００１】
【発明の属する技術分野】
本発明は特定の色の領域を透明にしてこの部分に背景の画像を合成するための画像処理装置に関する。
【０００２】
【従来の技術】
たとえばビデオ編集等の画像処理を行う場合には、１枚の画像の背景部分を他の画像と置き換えて２枚の画像を１枚に合成する技術が使用されることが多い。このような場合には、背景にする箇所の色を透明色として扱って、画像における人物等の前景物を抜き出し、透明となった箇所に別に用意した背景の画像を合成する。
【０００３】
図５〜図７は従来行われたこのような処理を説明するためのものである。このうち図５は、肌色と補色関係にある青色の布、紙等（以下、単に布という。）のブルーバック（背景）１１の前に人物１２を配置して撮った画像である。図６は、この人物１２の画像の背景に設定する山の画像１３である。図５に示した画像からブルーバック１１の部分を透明色として人物１２を抜き出し、図６に示した山の画像１３の上に重ねると、図７に示すように山１３を背景としてその前に人物１２がいるような画像１４が合成される。
【０００４】
このようなクロマキ処理を用いた画像処理が従来から提案されている（たとえば特許文献１参照）。この技術では、自然画像から指定された範囲を透明にする透明処理を行うことにしている。具体的には、クロマキ処理（透明処理）を行う範囲を２４ビットのディジタル画像データを使用してＲ色（赤）、Ｇ色（緑）、Ｂ色（青）の各色の成分についてそれぞれ上限または下限を指定し、これによって定まる色の範囲を透明色として処理することで、この部分を別に作成した背景画像に置き換えるようにしている。ここで、背景処理を行う画像の部分は青色の布のブルーバックで構成しておくが、ブルーバックの部分はまったく同一の色調や明度の画像で構成されているわけではない。実際には同じブルーバックの画像でも光が反射して明るくなっている部分もあれば反対に影になって暗くなっている部分もある。これらいずれの部分でも同じように透明色として処理する必要がある。
【０００５】
そこで、この提案ではＲ色、Ｇ色、Ｂ色の各色の成分についてそれぞれ上限または下限を指定することで、ある幅をもって画像の透明処理を行う部分を拡張し、これによって光が反射した部分や影が生じた部分でも透明色としての処理が確実に行えるようにしている。この半面で、この提案された処理を行うと、Ｒ色、Ｇ色、Ｂ色の各範囲の組み合わせによっては、青色の特徴を持たない色まで透明処理を行う危険性が生じてくる。これを次に説明する。
【０００６】
図８〜図１２は、各種の照明状態におけるブルーバックの画像の特性を表わしたものである。これらの図で横軸はＲ色、Ｇ色、Ｂ色の各色の成分を表わし、縦軸にそれぞれの色の値を２５６段階で表示している。このうち図８はブルーバックとして使用される青色の理想的な照明状態でのＲ色、Ｇ色、Ｂ色の各値を表わしている。図８に示した例では、Ｂ色の成分のみが存在しており、青色の特徴を持たないＲ色、Ｇ色は含まれていない。
【０００７】
これに対して図９は光が反射して明るくなった状態での３色の特性を表わしたものであり、Ｂ色の成分は図８の例と変わらないが、青色の特徴を持たないＲ色、Ｇ色の値が大きくなっている。図１０は、これに対してＲ色、Ｇ色の値は図９と変わらないが、Ｂ色の値が小さくなるような画像の特性を表わしている。
【０００８】
これら図８〜図１０に示した各照明状態に対してクロマキ処理を行えれば、照明むらを生じたＢ色に対しても透明処理を行うことが可能になる。このためには、Ｒ色、Ｇ色、Ｂ色の３色の成分それぞれについて上限および下限を設定する必要が生じる。これら３色の成分について設定される上限および下限は、この提案によれば次の（１）式のようになる。
“０”＜Ｒ＜ｒ
“０”＜Ｇ＜ｒ
ｂ＜Ｂ＜“２５５”    ……（１）
ここで符号ｒ、ｂは、図９または図１０に示した値を示すものである。
【０００９】
【特許文献１】
特開平６−３０８９３８号公報（第００１３段落、図１）
【００１０】
【発明が解決しようとする課題】
このようにこの提案によれば、本来のＢ色の色成分だけでなくＲ色やＧ色の色成分が（１）式の範囲内で含まれる結果、クロマキカラーの特徴を有する各色を透明色として処理することができる。しかしながら、その一方で、これら（１）式の範囲内であれば３色のすべての組み合わせを透明色として処理することになる。この結果、クロマキカラーとは本来的に異なる色までが透明色として処理される場合が生じることになる。
【００１１】
図１１はその一例としてクロマキカラーとは本来的に異なる色、すなわち青色としての特徴を持たない本来透明処理されるべきでない画像部分が透明色として扱われる例を示したものである。この例では、Ｒ色が“０”あるいはこれに近い下限値となっている一方で、Ｇ色が上限値となっている。この場合、全体としては図８に示すクロマキカラーとはかなり異なるねずみ色に近い青色となる。提案された手法では、このような色までも透明色として扱われ、背景色と置き換わることになる。
【００１２】
また、（１）式ではＢ色の値が値“ｂ”よりも大きい必要がある。この結果として影になった暗いＢ色が透明色から除外される場合が生じる。
【００１３】
図１２は、透明処理されるべき画像部分が照明の状態によって透明色から除外される場合の例を表わしたものである。この図１２に示した例の場合では、Ｒ色およびＧ色の色成分がこれらの下限値としての値“０”となっており、Ｂ色の成分の値はその下限値としての値“ｂ”未満となっている。したがって、このような画像部分は透明色として扱われず前景色として残ってしまう。このように背景を透明色にするためにクロマキカラーの布を使用して画像を撮影したような場合、照明（ライティング）の状態によって、本来、前景色として処理される画像の一部が透明色として扱われたり、透明色として処理される画像の一部が前景色として残ってしまうという不都合が発生する。
【００１４】
もちろん、このようにＲ色、Ｇ色、Ｂ色の３色それぞれに個別に上限および下限を設けることは、１画素当たり３色ずつ２つの値を判定することになり、それぞれ６つの判定が必要となる。したがって、特に画像の解像度が高いような場合には、画像処理の負荷が大きくなるという問題もある。
【００１５】
そこで本発明の目的は、背景に対応する色をより正確に特定し、しかもその画像部分の透明処理を比較的簡単に行うことができる画像処理装置および画像処理方法を提供することにある。
【００１６】
【課題を解決するための手段】
請求項１記載の発明では、（イ）特定の１色を背景に置き換えるための第１の原色とし、それ以外の２色をそれぞれ第２の原色および第３の原色とし、更にこれら３つの原色の採り得る最小値および最大値が同一であるとするとき、所定の画像を構成する画素ごとに第１の原色の値が第２および第３の原色の値のうちの大きいものよりも最大値よりも小さな所定の第１の値以上大きいか否かを比較する第１の比較手段と、（ロ）前記した所定の画像を構成する画素ごとに第２および第３の原色の差の絶対値が所定の正の第２の値以下であるか否かを比較する第２の比較手段と、（ハ）第１の比較手段が第１の原色の値が第２および第３の原色の値よりも第１の値以上大きいと判別し、かつ第２の比較手段が第２および第３の原色の差の絶対値が第２の値以下であると判別した画素のみを透明色として所定の背景画像の画素と置き換える透明色処理手段とを画像処理装置に具備させる。
【００１７】
すなわち請求項１記載の発明では、３原色のうちの１つを背景に置き換えるための第１の原色とする。第１の原色で表示された画素は背景色としての処理を行う。実際の画素は３原色を組み合わせている。第１の比較手段ではこれら３原色のそれぞれの値を比較する。その前提として各原色の採り得る最小値および最大値が同一である。第１の比較手段は、第１の原色の値が第２および第３の原色の値のうちの大きいものよりも更に第１の値以上大きいか否かを比較する。背景色と一致する画素あるいは一致すると判定しようとする画素は当然ながら第１の原色と同一の色あるいはこれに似ている色である必要があるからである。このため、第１の条件は第１の原色の値は第２の原色および第３の原色の値からある程度以上値が開いていることを要求している。第２の比較手段は、第２および第３の原色の差の絶対値が所定の正の第２の値以下であるか否かを比較することにしている。これは、照明の過不足で背景に相当する画像の３原色が異なったとした場合、第１の原色以外の２色の値は大きく開くことがないという事実に着目している。３原色が均等の値のときに無彩色となることと同様の原理である。ただし、照明が純粋な白色光でない等の事情があるので、第２および第３の原色の値には所定の幅を認めている。
【００１８】
請求項２記載の発明では、請求項１記載の画像処理装置で、透明色処理手段が透明色として処理しない画素について、背景の手前に位置する前景を構成する画素として処理する前景処理手段を具備している。
【００１９】
すなわち請求項２記載の発明では、透明色として処理しない画素については背景に置き換えず、背景の手前に位置する前景の画像としてそのまま使用する場合を示している。
【００２０】
請求項３記載の発明では、請求項１記載の画像処理装置で、第１の原色は青色であり、第２の原色と第３の原色は赤色あるいは緑色のうちのそれぞれ異なった１色であることを特徴としている。
【００２１】
すなわち請求項３記載の発明では、第１の原色が青色の場合を示している。青色は人の顔色と補色に近い色なので、これを抽出して透明色として処理すると顔の画像の一部が背景に置き換わる可能性が少ない。もちろん、第１の原色を青色以外の原色に設定することは自由である。
【００２２】
請求項４記載の発明では、（イ）特定の１色を背景に置き換えるための第１の原色とし、それ以外の２色をそれぞれ第２の原色および第３の原色とし、更にこれら３つの原色の採り得る最小値および最大値が同一であるとするとき、所定の画像を構成する画素ごとに第１の原色の値が第２および第３の原色の値のうちの大きいものよりも最大値よりも小さな所定の第１の値以上大きいか否かを比較する第１の比較ステップと、（ロ）前記した所定の画像を構成する画素ごとに第２および第３の原色の差の絶対値が所定の正の第２の値以下であるか否かを比較する第２の比較ステップと、（ハ）第１の比較ステップで第１の原色の値が第２および第３の原色の値よりも第１の値以上大きいと判別し、かつ第２の比較ステップで第２および第３の原色の差の絶対値が第２の値以下であると判別した画素のみを透明色として所定の背景画像の画素と置き換える透明色処理ステップとを画像処理方法に具備させる。
【００２３】
すなわち請求項４記載の発明では、３原色のうちの１つを背景に置き換えるための第１の原色とする。第１の原色で表示された画素は背景色としての処理を行う。実際の画素は３原色を組み合わせている。第１の比較ステップではこれら３原色のそれぞれの値を比較する。その前提として各原色の採り得る最小値および最大値が同一である。第１のステップでは、第１の原色の値が第２および第３の原色の値のうちの大きいものよりも更に第１の値以上大きいか否かを比較する。背景色と一致する画素あるいは一致すると判定しようとする画素は当然ながら第１の原色と同一の色あるいはこれに似ている色である必要があるからである。このため、第１の条件は第１の原色の値は第２の原色および第３の原色の値からある程度以上値が開いていることを要求している。第２の比較ステップでは、第２および第３の原色の差の絶対値が所定の正の第２の値以下であるか否かを比較することにしている。これは、照明の過不足で背景に相当する画像の３原色が異なったとした場合、第１の原色以外の２色の値は大きく開くことがないという事実に着目している。３原色が均等の値のときに無彩色となることと同様の原理である。ただし、照明が純粋な白色光でない等の事情があるので、第２および第３の原色の値には所定の幅を認めている。
【００２４】
請求項５記載の発明では、請求項４記載の画像処理方法で、透明色処理ステップで透明色として処理しない画素について、背景の手前に位置する前景を構成する画素として処理する前景処理ステップを具備している。
【００２５】
すなわち請求項５記載の発明では、請求項４記載の画像処理方法で、透明色として処理しない画素については背景に置き換えず、背景の手前に位置する前景の画像としてそのまま使用する場合を示している。
【００２６】
【発明の実施の形態】
図１は本発明の実施の形態における画像処理方法の概要を示したものである。この画像処理方法では、所定の画像の中から背景色を透明処理するようになっている。ここで透明色として処理されるクロマキカラーはＲ色（赤）、Ｇ色（緑）、Ｂ色（青）の中から任意に選択することができるが、この実施の形態では、人物の顔の色に対して補色の関係に近いＢ色をこれに設定する。Ｒ色、Ｇ色、Ｂ色はそれぞれ値“０”から値“２５５”までの２５６段階で表現されているものとする。ここで値“０”はその色が含まれていない状態を示しており、値“２５５”はその色が最大値である状態を示している。
【００２７】
まず、処理の対象となる画像の中の未処理の１画素の画像データを入力する（ステップＳ１１）。そして、その画像データにおけるＲ色、Ｇ色、Ｂ色の各値をチェックして、クロマキカラーとしてのＢ色の値がその他の色としてのＲ色およびＧ色の値のうちの大きい方よりも第１の値以上大きいかどうかを判別する（ステップＳ１２）。これを透明処理の第１の条件とする。
【００２８】
この透明処理の第１の条件が必要とされる理由を説明する。図８は背景として最も理想的な場合である。この図８ではＲ色およびＧ色の値が共に“０”でＢ色が最大値なので、透明処理の第１の条件を満足する。図９ではＢ色が最大値を示しているが、同時にＲ色およびＧ色もある値“ｒ”となっている。しかしながらこれらの値“ｒ”は最大値としての値“２５５”よりも小さいので、クロマキカラーの布にしわがあって照明の反射となって白っぽくなっているような部分の画像データと見ることができる。このような画像データも透明処理を行う必要がある。本実施の形態では第１の値が最大値“２５５”から値“ｒ”を引いた値よりも小さな所定値としている。これは図１２における値“ｂ”よりも小さな値である。
【００２９】
図１２の場合にはＲ色およびＧ色の値が共に“０”となっているが、Ｂ色も最大値とはなっておらず、値“ｂ”よりもわずかに小さくなっている。ここで値“ｂ”はどこまでも小さい範囲を含むのではなく、図９に示した反射により現われた他の色の値“ｒ”よりは大きいものとする。このような状態の図１２の画像データは、たとえばクロマキカラーの布にしわがあって照明の影になった状態である。このような場合も透明処理を行う必要がある。図１２の例の場合、透明処理の第１の条件を満たしている。
【００３０】
一方、図１０に示したような画像の画像データの場合には、Ｒ色およびＧ色の値が共に値“ｒ”となっているにもかかわらず、Ｂ色も最大値よりも低い前記した値“ｂ”となっている。ここでは、１つの画素の位置で同時に光の照射と影の生成が生じたような画像内容となっており、透明処理を行う対象でないことは明らかである。したがって、このような場合を除外するために、Ｂ色の値と次に値の大きな色の値との差が第１の値以上であることを透明処理の第１の条件としている。したがって、たとえばＢ色が画像の読取時の何らかの状況によって最大値よりもわずかに低い値となっていた場合では、Ｒ色とＧ色の値のうちの大きい方が同様にこの低下分以上に値を低下させているときに、同様に透明処理の第１の条件を満たすことになる。
【００３１】
入力された画素が図１のステップＳ１２で示した透明処理の第１の条件を満たしていた場合には（Ｙ）、透明処理の第２の条件を更に満たしているかどうかのチェックが行われる。この透明処理の第２の条件は、Ｒ色とＧ色の差の絶対値は第２の値以下であるという条件である（ステップＳ１３）。これは、クロマキカラーとは無関係なカラーとしてのＲ色とＧ色が画像データに現われたとしても、照明の不均一によって生じる場合が多いので、一方の色のみが極端に大きな値として現われることは考えられないという理由に基づくものである。図１１ではねずみ色に近い青色となっており、透明処理の第２の条件はこのような画像データを透明処理しないための条件である。
【００３２】
図２は、以上説明した透明処理の第１の条件と第２の条件を図解したものである。透明処理の第１の条件ではクロマキカラーとしてのＢ色とそれ以外のＲ色とＧ色のうちの大きな方の値との開きＶ１を見ている。これに対して第２の条件ではクロマキカラー以外のＲ色とＧ色の開きＶ２を見ていることになる。先に示した従来技術の（１）式と透明処理する対象の画素を抽出する手法がまったく相違することになる。
【００３３】
図１に戻って説明を続ける。ステップＳ１２あるいはステップＳ１３で透明処理の第１または第２の条件を具備していないと判別された画素の画像データに対しては、透明処理は行わない。すなわち、その画素を前景を構成するものとして処理する（ステップＳ１４）。その画素についてたとえば透明処理を行わない旨のマスク処理が行われてもよい。
【００３４】
ステップＳ１３で示した透明処理の第２の条件も更に満足した画素については（Ｙ）、これを透明処理する（ステップＳ１５）。この場合も透明処理をその時点で行う必要はなく、たとえば透明処理を行う旨のマスク処理が行われてもよい。次に処理すべき画素が残っているかどうかを判別し（ステップＳ１６）、残りの画素がある場合には（Ｙ）、ステップＳ１１に戻って次の画素について同様の処理を行う。ステップＳ１４の処理が行われた後も同様にステップＳ１６の処理に進む。ステップＳ１６で最終的に処理すべき残りの画素がなくなった場合には（Ｎ）、以上説明した一連の画像処理が終了することになる（エンド）。
【００３５】
【実施例】
以下実施例につき本発明を更に詳細に説明する。
【００３６】
図３は本発明の一実施例における画像処理装置の構成の概要を表わしたものである。本実施例の画像処理装置２１は、通常のパーソナルコンピュータあるいはワークステーションと同様の構成となっており、ＣＰＵ（中央処理装置）２２を備えている。ＣＰＵ２２はデータバス等のバス２３を介して、プログラム記録媒体２４、作業メモリ２５、画像入力部２６、変換画像格納部２７および画像出力部２８を備えている。
【００３７】
ここでプログラム記録媒体２４は後に詳細に説明する本実施例による画像処理の一連の処理手順を制御プログラムとして格納した記録媒体である。記録媒体としては図示しない磁気ディスク、光ディスク、ＲＯＭ（リード・オンリ・メモリ）あるいはＲＡＭ（ランダム・アクセス・メモリ）等の各種のデータ書込可能な記録媒体を当てることができる。作業メモリ２５は、プログラム記録媒体２４に格納された制御プログラムを実行する際に一時的に必要とされる各種データを一時的に格納するメモリ領域である。画像入力部２６はクロマキ処理を行う対象となる画像を入力するようになっている。画像入力の態様としては各種のものが存在している。たとえばフロッピディスクや光ディスク等の外部記憶媒体を使用して画像データを入力してもよいし、インターネットのような通信ネットワークに接続してこれから必要な画像データを得てもよい。ＵＳＢ（Ｕｎｉｖｅｒｓａｌ  Ｓｅｒｉａｌ  Ｂｕｓ）や専用のケーブルを使用して画像データを入手してもよい。変換画像格納部２７は変換後の画像データを格納する部分であり、磁気ディスク、ＲＡＭ等の各種記憶媒体で構成することが可能である。画像出力部２８は変換画像格納部２７に格納された画像データを出力する部分である。前記した記録媒体に出力するものであってもよいし、ケーブルあるいは通信ネットワーク上に送出するものであってもよい。
【００３８】
図４は、本実施例の画像処理装置による画像の処理の流れを表わしたものである。画像処理装置２１の図３に示したＣＰＵ２２は、画像入力部２６から入力された１画素分の画像データを入力する（ステップＳ３１）。この１画素分の画像データはＲ色、Ｇ色、Ｂ色の３原色をそれぞれ２５６階調で表わしたものである。本実施例では、このうちのＢ色をクロマキ処理（透明処理）する色とする。
【００３９】
ＣＰＵ２２は入力された１画素分の画像データにおけるＲ色の値とＧ色の値を比較する（ステップＳ３２）。この結果としてＲ色の値の方がＧ色の値よりも大きかった場合には（Ｙ）、Ｒ色の値からＧ色の値を差し引いた値Ｖ２とＢ色の値からＲ色の値を差し引いた値Ｖ１（図２参照）を演算する（ステップＳ３３）。これに対してＲ色の値がＧ色の値と等しいかこれよりも小さい場合には（ステップＳ３２：Ｎ）、Ｇ色の値からＲ色の値を差し引いた値Ｖ２とＢ色の値からＧ色の値を差し引いた値Ｖ１（図２参照）を演算する（ステップＳ３４）。
【００４０】
そして次のステップＳ３５では前記した透明処理の第１および第２の条件を共に満たすかどうかの判別を行う。まず、透明処理の第１の条件として値Ｖ１が予め定めた第１の値ＭＩＮＢＲよりも大きいことが確認される。大きければ、透明処理の第２の条件として値Ｖ２は予め定めた第２の値ＭＡＸＲＧよりも小さいことが確認される。これら第１および第２の条件のいずれの１つでも満たさないような場合には（ステップＳ３５：Ｎ）、その１画面の画像データとしてのＲ色、Ｇ色、Ｂ色の３原色の各値がそのまま前景色として出力されることになる（ステップＳ３６）。
【００４１】
これに対して、その画素の画像データが透明処理の第１および第２の条件の双方を同時に満たした場合には（ステップＳ３５：Ｙ）、これを背景の画素の画像データに置き換える（ステップＳ３７）。すなわちＲ色については対応する位置の背景の画像データの値ＲＢＧに変更し、Ｇ色については対応する位置の背景の画像データの値ＧＢＧに変更し、Ｂ色については対応する位置の背景の画像データの値ＢＢＧに変更する。そして変更後の画素の画像データを出力する（ステップＳ３６）。この後、処理すべき残りの画素が存在するかどうかをチェックして（ステップＳ３８）、存在すれば（Ｙ）、ステップＳ３１に処理を戻す。処理すべき残りの画素が存在しなくなったら（ステップＳ３８：Ｎ）、一連の処理を終了させることになる（エンド）。
【００４２】
なお、本実施例では透明処理の第１の条件に使用する第１の値ＭＩＮＢＲは透明処理の第２の条件に使用する第２の値ＭＡＸＲＧよりも大きい値として設定したが、これに限るものではない。
【００４３】
また、以上説明した実施の形態および実施例ではクロマキカラーをＢ色としたがＲ色あるいはＧ色をクロマキカラーとして指定してもよい。シアン、マゼンタ、イエロ等の他の３原色の概念でも本発明を同様に適用できることも当然である。
【００４４】
【発明の効果】
以上説明したように請求項１および請求項４記載の発明によれば、背景色（透明色）に置き換える布等に実際に当たる照明が白色光に近い状況を考慮して第１および第２の条件を設定したので、透明色の特定がより的確に行われ、これにより高品位な画像のクロマキ合成が可能になる。しかもそれぞれの画素について２つの比較を行えばよく、従来と比べて比較処理が簡略化したので、画像の高速処理が可能になり、その分だけ解像度を高めることができる。これが結果的に背景色（透明色）のエッジを鮮明にするので、この意味でも画質を向上することができる。
【図面の簡単な説明】
【図１】本発明の実施の形態における画像処理方法の概要を示した流れ図である。
【図２】本発明における第１の条件と第２の条件を示した説明図である。
【図３】本発明の一実施例における画像処理装置の概要を示すブロック図である。
【図４】本実施例の画像処理装置による画像の処理の流れを表わした流れ図である。
【図５】青色の布のブルーバックの前に人物を配置して撮った画像の平面図である。
【図６】背景に設定する山の画像を示した平面図である。
【図７】図５と図６の両図を合成して得られた画像の平面図である。
【図８】透明処理されるべき画像部分が理想的な照明状態の場合のＲ色、Ｇ色およびＢ色の各値を表わした特性図である。
【図９】透明処理されるべき画像部分の照明による反射が生じた第１の例におけるＲ色、Ｇ色およびＢ色の各値を表わした特性図である。
【図１０】透明処理されるべき画像部分の照明による影が生じた第２の例におけるＲ色、Ｇ色およびＢ色の各値を表わした特性図である。
【図１１】透明処理されるべきでない画像の一例におけるＲ色、Ｇ色およびＢ色の各値を表わした特性図である。
【図１２】透明処理されるべき画像部分が照明の状態によって透明色から除外される場合の例を表わしたＲ色、Ｇ色およびＢ色の特性図である。
【符号の説明】
２１  画像処理装置
２２  ＣＰＵ
２３  データバス等のバス
２４  プログラム記録媒体
２５  作業メモリ
２６  画像入力部
２７  変換画像格納部
２８  画像出力部
【図１】
2004349785.tif 000003
【図２】
2004349785.tif 000004
【図３】
2004349785.tif 000005
【図４】
2004349785.tif 000006
【図５】
2004349785.tif 000007
【図６】
2004349785.tif 000008
【図７】
2004349785.tif 000009
【図８】
2004349785.tif 000010
【図９】
2004349785.tif 000011
【図１０】
2004349785.tif 000012
【図１１】
2004349785.tif 000013
【図１２】
2004349785.tif 000014